(57)【要約】【課題】背負枠を手で容易に持ち上げることを可能とすると共に容易にひっくり返すことも可能とする。【解決手段】作業者の背に当てられる背当て部６と、この背当て部６の下部から後方に延びる台座部７と、この台座部７より上側に位置し薬剤を貯留する薬剤タンク１と、が一体に成形された背負枠５を有する背負動力噴霧機１００であって、台座部７の底面に、把手用の凹部９を備える構成とし、この把手用の凹部９を手で持つことによって、背負枠５を手で容易に持ち上げれるようにすると共に容易にひっくり返せるようにもする。【選択図】図２
2011005421.tif 000002
【特許請求の範囲】
【請求項１】
作業者の背に当てられる背当て部（６）と、この背当て部（６）の下部から後方に延びる台座部（７）と、この台座部（７）より上側に位置し薬剤を貯留する薬剤タンク（１）と、が一体に成形された背負枠（５）を有する背負動力噴霧機（１００）において、
前記台座部（７）の底面に、把手用の凹部（９）を有することを特徴とする背負動力噴霧機（１００）。
【請求項２】
前記凹部（９）は、前記台座部（７）の底面において、前後方向に直交する左右方向に離間して一対が設けられていることを特徴とする請求項１記載の背負動力噴霧機。
【請求項３】
前記凹部（９）には、凸部（１０）が設けられていることを特徴とする請求項１又は２記載の背負動力噴霧機。
【請求項４】
前記台座部（７）の底面側の前後方向に延びる側端縁（２０）において前記凹部（９）に隣接する位置には、把手用の窪み（１１，１２，１３）が設けられていることを特徴とする請求項１〜３の何れか一項に記載の背負動力噴霧機。
【請求項５】
前記背当て部（６）、前記台座部（７）及び前記薬剤タンク（１）は、ブロー成形により一体に成形されていることを特徴とする請求項１〜４の何れか一項に記載の背負動力噴霧機。
【発明の詳細な説明】
【技術分野】
【０００１】
本発明は、背負動力噴霧機に関する。
【背景技術】
【０００２】
従来、作業者の背に当てられる背当て部と、この背当て部の下部から後方に延びる台座部と、この台座部より上側に位置し薬剤を貯留する薬剤タンクと、が一体に成形された背負枠を備えると共に、台座部上に内燃エンジン、ポンプが搭載され、内燃エンジンによりポンプが駆動されて薬剤タンクの薬剤を噴霧ノズルを介して噴霧できる背負動力噴霧機が知られている（例えば、特許文献１参照）。この背負動力噴霧機では、背当て部は上下方向に延在し、台座部は、その上面が後方に行くに従って下方に傾斜する構成とされると共に、その底面が背負動力噴霧機を地面に置くことができるように平面とされ、薬剤タンクは、後方に所定に湾曲して膨らむ形状とされている。
【先行技術文献】
【特許文献】
【０００３】
【特許文献１】特許第３９６０７７０号公報
【発明の概要】
【発明が解決しようとする課題】
【０００４】
ここで、上記特許文献１に記載の背負動力噴霧機では、背負枠を手で持ち上げることが容易ではない。また、例えば薬剤タンク内を洗浄すべく、薬剤タンク上部の薬剤投入口から薬剤タンク内に水を入れ当該水を薬剤投入口から素早く排出する際に、背負枠を手で持ち上げひっくり返す作業も容易ではない。
【０００５】
そこで、本発明の目的は、背負枠を手で容易に持ち上げることを可能とすると共に容易にひっくり返すことも可能とすることにある。
【課題を解決するための手段】
【０００６】
本発明による背負動力噴霧機は、作業者の背に当てられる背当て部（６）と、この背当て部（６）の下部から後方に延びる台座部（７）と、この台座部（７）より上側に位置し薬剤を貯留する薬剤タンク（１）と、が一体に成形された背負枠（５）を有する背負動力噴霧機（１００）において、台座部（７）の底面に、把手用の凹部（９）を有することを特徴としている。
【０００７】
このような背負動力噴霧機（１００）によれば、台座部（７）の底面に設けられた把手用の凹部（９）を手で持つことによって、背負枠（５）が手で容易に持ち上げられるようになると共に容易にひっくり返されるようにもなる。また、凹部（９）により台座部（７）の底面の強度が高められる。
【０００８】
ここで、凹部（９）は、台座部（７）の底面において、前後方向に直交する左右方向に離間して一対が設けられていると、背負枠（５）が両手で持ち上げられ、一層背負枠（５）が持ち上げやすくされる。
【０００９】
また、凹部（９）には、凸部（１０）が設けられていると、背負枠（５）を手で持ち上げる際に、凹部（９）に進入した指が凸部（１０）に引っ掛かり指の滑りが防止される。
【００１０】
また、台座部（７）の底面側の前後方向に延びる側端縁（２０）において凹部（９）に隣接する位置には、把手用の窪み（１１，１２，１３）が設けられていると、背負枠（５）を手で持ち上げるべく凹部（９）に指を進入させる際に、把手用窪み（１１）により、手が進入しやすくされると共に手の平が曲げやすくされ、その結果、凹部（９）に指が入れやすく且つ背負枠（５）が持ちやすくされる。
【００１１】
ここで、背当て部（６）、台座部（７）及び薬剤タンク（１）がブロー成形により一体に成形され、台座部（７）の底面が平面であると、ブロー成形により底面が歪んで座りが悪くなってしまうが、上述のように、台座部（７）の底面に凹部（９）が設けられていれば、ブロー成形による歪みが解消されて底面が安定し、且つ、この底面が安定することにより製品の外観が向上される。
【発明の効果】
【００１２】
このように本発明によれば、背負枠を手で容易に持ち上げることができると共に容易にひっくり返すこともできる。
【図面の簡単な説明】
【００１３】
【図１】本発明の第一実施形態に係る背負動力噴霧機を示す正面図である。
【図２】図１に示す背負動力噴霧機を背面下方側から見た斜視図である。
【図３】図２中の把手用凹部及びその近傍を示す断面図である。
【図４】本発明の第二実施形態に係る背負動力噴霧機を底面側から見た斜視図である。
【図５】図４中の把手用凹部及びその近傍の把手用窪みを示す断面図である。
【図６】本発明の第三実施形態に係る背負動力噴霧機を底面側から見た斜視図である。
【図７】図６中の把手用凹部及びその近傍の把手用窪みを示す断面図である。
【図８】本発明の第四実施形態に係る背負動力噴霧機を底面側から見た斜視図である。
【図９】図８中の把手用凹部及びその近傍の把手用窪みを示す断面図である。
【発明を実施するための形態】
【００１４】
以下、本発明に係る背負動力噴霧機の好適な実施形態について添付図面を参照しながら説明する。なお、各図において、同一の要素には同一の符号を付し、重複する説明は省略する。
【００１５】
図１〜図３は、本発明の第一実施形態を、図４及び図５は、本発明の第二実施形態を、図６及び図７は、本発明の第三実施形態を、図８及び図９は、本発明の第四実施形態を各々示すものであり、先ず、図１〜図３に示す第一実施形態を説明する。
【００１６】
図１は、本発明の第一実施形態に係る背負動力噴霧機を示す正面図、図２は、図１に示す背負動力噴霧機を背面下方側から見た斜視図、図３は、図２中の把手用凹部及びその近傍を示す断面図であり、本実施形態の背負動力噴霧機は、例えば液状薬剤等を噴霧するためのものであって、作業者が背負いながら噴霧を行うものである。
【００１７】
図１及び図２に示すように、背負動力噴霧機１００は、上下方向に延在し作業者の背に当てられる背当て部６と、この背当て部６の下部から後方（図１の紙面手前方向）に延びる台座部７と、この台座部７より上側且つ背当て部６の後側に位置すると共に、後方に所定に湾曲して膨らむ薬剤タンク１と、が一体に成形された背負枠５を備えると共に、薬剤タンク１内の液状薬剤を吸引して噴霧ノズル（不図示）に圧送するポンプ２と、このポンプ２を駆動するための原動機としての内燃エンジン３と、内燃エンジン３の燃料を貯留する燃料タンク４と、を備えている。なお、本明細書において、上下、前後、左右等の語は、作業者が直立姿勢で上記背負動力噴霧機１００を背負った状態での作業者を基準とした方向を表し、便宜的な語である。
【００１８】
背負枠５、すなわち、背当て部６、台座部７及び薬剤タンク１は、ここでは、合成樹脂のブロー成形（中空成形）により一体成形されている。また、ポンプ２、内燃エンジン３は、台座部７上で背当て部６の側から後方へとその順に配置され、燃料タンク４は、内燃エンジン３の下側に配置される。ポンプ２及び燃料タンク４は内燃エンジン３に固定され、この内燃エンジン３は、台座部７に対し、防振用のゴムマウント１５及びブラケット３１，３２を介してボルト１６，１７により固定されている。
【００１９】
ここで、特に本実施形態においては、図２に示すように、台座部７の底面に把手用の凹部９が設けられている。この把手用凹部９は、台座部７の底面側の前後方向に延びる側端縁２０に隣接すると共に当該側端縁２０に沿って延びるように形成され、ここでは、両側端縁２０に各々隣接して一対が設けられている。
【００２０】
この把手用凹部９は、図２及び図３に示すように、その凹部を形成し前後方向に延びる側面のうち、側端縁２０側の側面１９が傾斜面とされ、この傾斜面１９と対向する面は、殆ど傾斜しない垂直面とされている。この傾斜面１９は、外側に行くに従い凹部９の開口を大きくするように傾斜する傾斜面とされている。そして、このように側端縁２０側の側面１９を傾斜面としているのは、把手用凹部９に隣接する側端縁２０側から、当該把手用凹部９内に指を進入しやすくするためである。
【００２１】
また、把手用凹部９において、側端縁２０側の傾斜面１９には、凸部１０が設けられている。この凸部１０は、把手用凹部９内に進入した指が傾斜面１９を滑らないようにするための引っ掛かりであり、前後方向に延び、ここでは、２個が上下方向に離間して並ぶように配設されている。
【００２２】
このように構成された背負動力噴霧機１００においては、作業者が、背負枠５の前面側に取り付けられた背負バンド（不図示）を肩に掛けて背負動力噴霧機１００を背負い、内燃エンジン３を動作させポンプ２を駆動することで、薬剤タンク１内の薬剤がポンプ２により吸引、吐出されて作業者が手にする噴霧ノズル（不図示）から噴霧される。
【００２３】
ここで、特に本実施形態によれば、台座部７の底面に把手用凹部９が設けられているため、作業者は、把手用凹部９に指（例えば人差し指、中指、薬指）を入れ手で持つことによって、背負枠５を手で容易に持ち上げることができる。また、薬剤タンク１内の洗浄の際に、背負枠５を手で持ち上げ容易にひっくり返すこともできる。また、このように把手用凹部９が設けられているため、台座部７の底面の強度を高めることができる。
【００２４】
また、把手用凹部９は、台座部７の底面において、前後方向に直交する左右方向に離間して一対が設けられているため、背負枠５を両手で持ち上げることができ、一層背負枠５を持ち上げやすくなっている。
【００２５】
また、把手用凹部９には、凸部１０が設けられているため、背負枠５を手で持ち上げる際に、把手用凹部９に進入した指が凸部１０に引っ掛かり指の滑りを防止できる。
【００２６】
ここで、背当て部６、台座部７及び薬剤タンク１がブロー成形により一体に成形され、従来のように地面に置くことができるように台座部７の底面が平面であると、ブロー成形により底面が歪んで座りが悪くなってしまうが、本実施形態では、台座部７の底面に把手用凹部９が設けられているため、ブロー成形による歪みが解消されて底面が安定し、且つ、この底面が安定することにより製品の外観を向上できる。
【００２７】
なお、従来にあっては、上述のように地面に置くことができるように背負枠の底面は平面であり、背負枠の他の部分にも手で掴むところが無いため、背負枠を手で持ち上げることは容易ではなく、ひっくり返す作業も容易ではない。
【００２８】
図４は、本発明の第二実施形態に係る背負動力噴霧機を底面側から見た斜視図、図５は、図４中の把手用凹部及びその近傍の把手用窪みを示す断面図である。
【００２９】
この第二実施形態の背負動力噴霧機２００が第一実施形態の背負動力噴霧機１００と違う点は、台座部７の底面側の前後方向に延びる側端縁２０において把手用凹部９に隣接する位置に、把手用の窪み１１を設けた点である。この把手用窪み１１は、隣接する把手用凹部９に沿うように設けられており、ここでは、端縁をＲ形状に丸めた構成とされている。
【００３０】
このような第二実施形態の背負動力噴霧機２００によれば、台座部７の底面側の前後方向に延びる側端縁２０において把手用凹部９に隣接する位置に、把手用窪み１１が設けられているため、背負枠５を手で持ち上げるべく把手用凹部９に指を進入させる際に、把手用窪み１１により、手が進入しやすくされると共に手の平が曲げやすくされ、その結果、把手用凹部９に指を入れやすく且つ背負枠５を持ちやすくなっている。
【００３１】
図６は、本発明の第三実施形態に係る背負動力噴霧機を底面側から見た斜視図、図７は、図６中の把手用凹部及びその近傍の把手用窪みを示す断面図である。
【００３２】
この第三実施形態の背負動力噴霧機３００が第二実施形態の背負動力噴霧機２００と違う点は、上記Ｒ形状の把手用窪み１１に代えて、側端縁２０を矩形状に彫り込んだ凹形状の把手用窪み１２に代えた点である。
【００３３】
このような第三実施形態の背負動力噴霧機３００によれば、第二実施形態と同様に、把手用窪み１２により、手が進入しやすくされると共に手の平が曲げやすくされ、その結果、把手用凹部９に指を入れやすく且つ背負枠５を持ちやすくなっている。
【００３４】
図８は、本発明の第四実施形態に係る背負動力噴霧機を底面側から見た斜視図、図９は、図８中の把手用凹部及びその近傍の把手用窪みを示す断面図である。
【００３５】
この第四実施形態の背負動力噴霧機４００が第二実施形態、第三実施形態の背負動力噴霧機２００，３００と違う点は、上記Ｒ形状、凹形状の把手用窪み１１，１２に代えて、側端縁２０を面取りした（カットした）面取り形状の把手用窪み１３に代えた点である。
【００３６】
このような第四実施形態の背負動力噴霧機４００によれば、第二実施形態、第三実施形態と同様な効果を得ることができるというのはいうまでもない。
【００３７】
以上、本発明をその実施形態に基づき具体的に説明したが、本発明は上記実施形態に限定されるものではなく、例えば、上記実施形態においては、内燃エンジン３がポンプ２を駆動する原動機となっているが、電動機を用いることも可能であり、動力源の動力により薬剤タンク１の薬剤を噴霧可能とする背負動力噴霧機全てに対して適用可能である。
【符号の説明】
【００３８】
１…薬剤タンク、５…背負枠、６…背当て部、７…台座部、９…把手用凹部、１０…凸部、１１，１２，１３…把手用窪み、２０…側端縁、１００，２００，３００，４００…背負動力噴霧機。
【図１】
2011005421.tif 000003
【図２】
2011005421.tif 000004
【図３】
2011005421.tif 000005
【図４】
2011005421.tif 000006
【図５】
2011005421.tif 000007
【図６】
2011005421.tif 000008
【図７】
2011005421.tif 000009
【図８】
2011005421.tif 000010
【図９】
2011005421.tif 000011